【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
メガネフレームアセンブリであって、以下：
少なくとも１つの上側部分と、少なくとも１つの嵌合する下側部分とを有するアイワイヤアセンブリ；
少なくとも１つのテンプルアーム；
該アイワイヤアセンブリに連結された、少なくとも１つのテンプルアームヒンジブロック；および
工具を用いることなく、該アイワイヤの上側部分と、該アイワイヤの嵌合する下側部分とを連結するための連結機構であって、該連結機構は、該アイワイヤの上側部分もしくは下側部分の一方の上に配置され、第１の幅を備える引張りクリップと、該アイワイヤの上側部分もしくは下側部分のもう一方の上に配置され、第２の幅を備える引張りクリップの受け部とを備え、該引張りクリップの受け部内に該引張りクリップを挿入する前に、該第１の幅は該第２の幅よりも大きい、連結機構
を備える、メガネフレームアセンブリ。
【請求項２】
前記引張りクリップが、前記アイワイヤの上側部分と前記アイワイヤの嵌合する下側部分とを連結して、リムの内側にメガネのレンズを維持するために、前記引張りクリップの受け部内に解放可能に挿入され得る、請求項１に記載のメガネフレームアセンブリ。
【請求項３】
２つのレンズと、２つのテンプルアームと、該２つのレンズを支持するためのフレームとを備えるメガネであって、該メガネは、さらに、テンプルアームヒンジブロックを有し、該テンプルアームは、さらなる金物を用いることなく、該テンプルアームヒンジブロックに直接、旋回可能に取り付けられている、メガネ。
【請求項４】
テンプルアームヒンジブロックを有するメガネフレームアセンブリであって、該テンプルアームヒンジブロックは、該メガネのテンプルアームが、所定量のトルクを加えることによって、該テンプルアームヒンジブロックから選択的かつ交換可能に取り外され得るように構成および配置されており、該テンプルアームヒンジブロックは、該テンプルアームの第１の端部の一部分を受けるための溝を備え、該部分がある直径を有し、そして、円筒状のボアが、該テンプルアームの第２の端部を受けるために、該テンプルアームヒンジブロックを通る道の少なくとも一部分を延びる、メガネフレームアセンブリ。
【請求項５】
前記メガネフレームが、フルリムのメガネフレームである、請求項４に記載のメガネフレームアセンブリ。
【請求項６】
前記メガネフレームが、ハーフリムのメガネフレームである、請求項４に記載のメガネフレームアセンブリ。
【請求項７】
前記メガネフレームが、３点マウント式の縁なしのメガネフレームである、請求項４に記載のメガネフレームアセンブリ。
【請求項８】
前記テンプルアームが、前記テンプルアームヒンジブロックに取り付けるための第１の端部を有する、請求項４に記載のメガネフレームアセンブリ。
【請求項９】
前記溝の傾斜のついた前縁に沿った該溝の深さが、前記テンプルアームの第１の端部の直径の半分未満である、請求項４に記載のメガネフレームアセンブリ。
【請求項１０】
前記溝が、面取りされている、請求項４に記載のメガネフレームアセンブリ。
【請求項１１】
前記溝が、ベベル状の傾斜のついた前縁を有する、請求項４に記載のメガネフレームアセンブリ。
【請求項１２】
前記第１の端部が、屈曲部を備える、請求項４に記載のメガネフレームアセンブリ。
【請求項１３】
前記溝が、前記テンプルアームの第１の端部内の前記屈曲部を収容するような角度になっている、請求項１２に記載のメガネフレームアセンブリ。
【請求項１４】
前記溝が、面取りされている、請求項１３に記載のメガネフレームアセンブリ。
【請求項１５】
前記溝が、ベベル状の傾斜のついた前縁を有する、請求項１３に記載のメガネフレームアセンブリ。
【請求項１６】
メガネフレームアセンブリであって、該メガネフレームアセンブリは、その近位端で該メガネフレームに連結された少なくとも１つのテンプルアームピースを備え、そして、その遠位端には印を有し、該印は、該テンプルアームの該印のうちの選択した１つから遠位にある部分を不可逆的に取り外すことによって該テンプルアームの長さを調節するためのものである、メガネフレームアセンブリ。
【請求項１７】
前記印が、前もって形成された切欠きを含む、請求項１６に記載のメガネフレームアセンブリ。
【請求項１８】
前記印が、切れ目または食刻である、請求項１６に記載のメガネフレームアセンブリ。
【請求項１９】
前記メガネフレームが、フルリムのメガネフレームである、請求項１６に記載のメガネフレームアセンブリ。
【請求項２０】
前記メガネフレームが、ハーフリムのメガネフレームである、請求項１６に記載のメガネフレームアセンブリ。
【請求項２１】
前記メガネフレームが、３点マウント式の縁なしのメガネフレームである、請求項１６に記載のメガネフレームアセンブリ。
【請求項２２】
メガネのレンズをメガネフレームに取り付けるための方法であって、該方法は、以下：
少なくとも１つの上側部分と少なくとも１つの嵌合する下側部分とを有するアイワイヤアセンブリ、および該アイワイヤの上側部分と該アイワイヤの嵌合する下側部分とを連結するための連結機構を有する、メガネフレームを提供する工程であって、該連結機構は、該アイワイヤの上側部分もしくは下側部分の一方の上に配置され、第１の幅を備える引張りクリップと、該アイワイヤの上側部分もしくは下側部分のもう一方の上に配置され、第２の幅を備える引張りクリップの受け部とを備え、該引張りクリップの受け部内に該引張りクリップを挿入する前に、該第１の幅は該第２の幅よりも大きい、工程；ならびに
該引張りクリップを該引張りクリップの受け部内へと挿入することによって、該アイワイヤの上側部分を、該アイワイヤの嵌合する下側部分に、工具を用いることなしに連結する工程
を包含する、方法。
【請求項２３】
メガネを構築するための方法であって、該方法は、以下：
テンプルアームを受けるためのテンプルアームヒンジブロックを有するメガネアセンブリを提供する工程；および
該テンプルアームの一部分を該テンプルアームヒンジブロックの円筒状のボア内に位置決めし、該テンプルアームヒンジブロックと該テンプルアームとの間に旋回可能な接続を形成し；そして、該テンプルアームの第２の部分を該テンプルアームヒンジブロックの表面上に位置決めされた溝の内部に位置決めすることによって、該テンプルアームヒンジブロックから、工具を用いることなしに、該テンプルアームを、選択可能かつ取り外し可能に取り付ける工程
を包含する、方法。
【請求項２４】
前記メガネが、フルリムのメガネである、請求項２３に記載の方法。
【請求項２５】
前記メガネが、ハーフリムのメガネである、請求項２３に記載の方法。
【請求項２６】
前記メガネが、３点マウント式の縁なしのメガネである、請求項２３に記載の方法。
【請求項２７】
装着者に対してメガネをフィットさせるための方法であって、該方法は、以下：
印の付いたテンプルアームを有するメガネを提供する工程；および
該テンプルアームの該印のうちの選択した１つから遠位にある部分を不可逆的に取り外すことにより、該テンプルアームからある長さを除くことによって、該テンプルアームの寸法を決める工程
を包含する、方法。
【請求項２８】
前記メガネが、フルリムのメガネである、請求項２７に記載の方法。
【請求項２９】
前記メガネが、ハーフリムのメガネである、請求項２７に記載の方法。
【請求項３０】
前記メガネが、３点マウント式の縁なしのメガネである、請求項２７に記載の方法。
【請求項３１】
テンプルアームの長さを調節するために、該テンプルアームから材料を取り外すための印を備える、メガネテンプルアーム。
【請求項３２】
前記印が、前もって形成された切欠きを含む、請求項３１に記載のメガネテンプルアーム。
【請求項３３】
前記印が、切れ目または食刻である、請求項３１に記載のメガネテンプルアーム。
【請求項３４】
前記印が、有色のマーキングである、請求項３１に記載のメガネテンプルアームと共に用いるための、テンプルアーム耳づるのしのみ。
【請求項３５】
前記引張りクリップが前記引張りクリップの受け部内に挿入され得るように、該引張りクリップが圧迫可能である、請求項１に記載のアセンブリ。
【請求項３６】
前記引張りクリップが、前記引張りクリップの第１の幅の領域において突出部を備え、前記引張りクリップの受け部が、該引張りクリップの該突出部を受けて、該引張りクリップを該引張りクリップの受け部へと固定するように構成された開口部を備える、請求項１に記載のアセンブリ。
【請求項３７】
前記引張りクリップがフック形状を備える、請求項１に記載のアセンブリ。
【請求項３８】
請求項２２に記載の方法であって、前記引張りクリップを圧迫して前記第１の幅を小さくし、該引張りクリップが前記引張りクリップの受け部内に挿入されることを可能にする工程、および、該引張りクリップを該引張りクリップの受け部内に挿入して、該引張りクリップを該引張りクリップの受け部内に固定した後に、該引張りクリップを拡張させる工程をさらに備える、方法。
【請求項３９】
前記引張りクリップが、前記引張りクリップの前記第１の幅の領域において突出部を備え、前記引張りクリップの受け部が、該引張りクリップの該突出部を受けて、該引張りクリップを該引張りクリップの受け部へと固定するように構成された開口部を備える、請求項３８に記載の方法。
【請求項４０】
前記引張りクリップがフック形状を備える、請求項２２に記載の方法。